(57)【要約】  本発明は、外部のシステムと通信回線で接続されていなくても非常事態を検知できる無線タグ装置（７）および入退室管理システム（５）を提供することを目的とする。入退室管理システム（５）は、読取装置（９）と、戸開閉制御装置（１１）と、無線タグ装置（７）と、を備える。無線タグ装置（７）は、利用者（４）を識別する信号を読取装置（９）に送信する。無線タグ装置（７）は、利用者（４）の位置の音声を測定する。無線タグ装置（７）は、測定される音声によって非常事態を検知する。無線タグ装置（７）は、非常事態を検知する場合に当該非常事態を表す信号を読取装置（９）に送信する。読取装置（９）は、利用者（４）を識別する信号および非常事態を表す信号を受信する。
2019186714.tif 000002
【特許請求の範囲】
【請求項１】
所持している利用者の位置の音声を測定する測定部と、
前記測定部に測定される音声によって非常事態を検知する検知部と、
戸開閉制御装置による戸の解錠および施錠の制御のための信号を受信する読取装置に前記利用者を識別する信号を送信し、前記検知部が非常事態を検知する場合に当該非常事態を表す信号を前記読取装置に送信する送信部と、
を備える無線タグ装置。
【請求項２】
前記検知部は、前記測定部に測定される音声が非常事態に対応して予め定められた音声に類似する場合に当該非常事態を検知する請求項１に記載の無線タグ装置。
【請求項３】
前記検知部は、前記利用者が所持している携帯情報端末から発せられる音声によって非常事態を検知する請求項１または請求項２に記載の無線タグ装置。
【請求項４】
利用者を識別する信号および非常事態を表す信号を受信する読取装置と、
前記読取装置が受信する信号に基づいて戸の解錠および施錠を制御する戸開閉制御装置と、
所持している利用者の位置の音声を測定し、測定される音声によって非常事態を検知し、当該利用者を識別する信号を前記読取装置に送信し、非常事態を検知する場合に当該非常事態を表す信号を前記読取装置に送信する無線タグ装置と、
を備える入退室管理システム。
【発明の詳細な説明】
【技術分野】
【０００１】
本発明は、無線タグ装置および入退室管理システムに関する。
【背景技術】
【０００２】
特許文献１に入退室管理システムの例が記載されている。入退室管理システムは、外部の緊急情報提供システムから非常事態を表す情報を受信する。入退室管理システムは、受信した情報に基づいて利用者を避難経路に誘導する。
【先行技術文献】
【特許文献】
【０００３】
【特許文献１】日本特開２０１０−４４６８５号公報
【発明の概要】
【発明が解決しようとする課題】
【０００４】
しかしながら、特許文献１に記載の入退室管理システムは、外部のシステムに通信回線を通じて接続する必要がある。このため、通信回線を契約するなどのコストがかかる。【０００５】
本発明は、このような課題を解決するためになされた。本発明の目的は、外部のシステムと通信回線で接続されていなくても非常事態を検知できる無線タグ装置および入退室管理システムを提供することである。
【課題を解決するための手段】
【０００６】
本発明に係る無線タグ装置は、所持している利用者の位置の音声を測定する測定部と、測定部に測定される音声によって非常事態を検知する検知部と、戸開閉制御装置による戸の解錠および施錠の制御のための信号を受信する読取装置に利用者を識別する信号を送信し、検知部が非常事態を検知する場合に当該非常事態を表す信号を読取装置に送信する送信部と、を備える。【０００７】
本発明に係る入退室管理システムは、利用者を識別する信号および非常事態を表す信号を受信する読取装置と、読取装置が受信する信号に基づいて戸の解錠および施錠を制御する戸開閉制御装置と、所持している利用者の位置の音声を測定し、測定される音声によって非常事態を検知し、当該利用者を識別する信号を読取装置に送信し、非常事態を検知する場合に当該非常事態を表す信号を読取装置に送信する無線タグ装置と、を備える。
【発明の効果】
【０００８】
本発明によれば、入退室管理システムは、読取装置と、戸開閉制御装置と、無線タグ装置と、を備える。読取装置は、利用者を識別する信号および非常事態を表す信号を受信する。戸開閉制御装置は、読取装置が受信する信号に基づいて戸の解錠および施錠を制御する。無線タグ装置は、所持している利用者の位置の音声を測定する。無線タグ装置は、測定される音声によって非常事態を検知する。無線タグ装置は、当該利用者を識別する信号を読取装置に送信する。無線タグ装置は、非常事態を検知する場合に当該非常事態を表す信号を読取装置に送信する。これにより、入退室管理システムは、外部のシステムと通信回線で接続されていなくても非常事態を検知できる。
【図面の簡単な説明】
【０００９】
【図１】実施の形態１に係る入退室管理システムの構成図である。
【図２】実施の形態１に係る無線タグ装置の動作の例を示すフローチャートである。
【図３】実施の形態１に係る入退室管理装置の動作の例を示すフローチャートである。
【図４】実施の形態１に係る無線タグ装置の主要部のハードウェア構成を示す図である。
【発明を実施するための形態】
【００１０】
本発明を実施するための形態について添付の図面を参照しながら説明する。各図において、同一または相当する部分には同一の符号を付して、重複する説明は適宜に簡略化または省略する。
【００１１】
実施の形態１．
図１は、実施の形態１に係る入退室管理システムの構成図である。
【００１２】
図１において、ネットワーク１は、例えば衛星通信、防災無線およびインターネットなどによる通信経路を含む。
【００１３】
緊急情報提供システム２は、緊急情報を送信するシステムである。緊急情報は、例えば自然災害または武力攻撃などの緊急に避難を要する非常事態を表す情報である。緊急情報提供システム２は、例えば日本におけるＪアラートシステムまたは緊急地震速報システムなどである。緊急情報提供システム２は、緊急情報を送信しうるように、ネットワーク１に接続される。
【００１４】
スマートフォン３は、利用者４に所持される。スマートフォン３は、携帯情報端末の例である。スマートフォン３は、緊急情報を受信しうるように、ネットワーク１に接続される。スマートフォン３は、緊急情報を受信する場合に、警報音を発しうるように構成される。警報音は、非常事態に対応して予め定められる音声である。
【００１５】
入退室管理システム５が適用される建築物は、戸６を備える。戸６は、電気錠を備える。
【００１６】
入退室管理システム５は、無線タグ装置７と、入退室管理装置８と、を備える。
【００１７】
無線タグ装置７は、例えばハンズフリータグである。無線タグ装置７は、入退室管理装置８とＲＦ（Ｒａｄｉｏ  Ｆｒｅｑｕｅｎｃｙ）電波およびＬＦ（Ｌｏｗ  Ｆｒｅｑｕｅｎｃｙ）電波によって通信しうるように構成される。無線タグ装置７は、利用者４に所持される。無線タグ装置７は、マイク７１と、検知部７２と、記憶部７３と、ＲＦ送信アンテナ７４と、ＬＦ受信アンテナ７５と、避難指示部７６と、制御部７７と、を備える。
【００１８】
マイク７１は、利用者４の位置の音声を測定しうるように構成される。マイク７１は、測定部の例である。マイク７１は、音声情報を送信しうるように、検知部７２に接続される。音声情報は、マイク７１が測定する音声を表す情報である。
【００１９】
検知部７２は、音声情報によって非常事態を検知しうるように構成される。検知部７２は、非常事態信号を送信しうるように、制御部７７に接続される。非常事態信号は、検知部７２が検知する非常事態を表す信号である。
【００２０】
記憶部７３は、識別信号の情報を記憶しうるように構成される。識別信号は、無線タグ装置７を所持している利用者４を識別する信号である。識別信号の情報は、例えば利用者４に割当てられる固有の文字列またはビット列である。記憶部７３は、識別信号を送信しうるように、制御部７７に接続される。
【００２１】
ＲＦ送信アンテナ７４は、識別信号および非常事態信号をＲＦ電波によって送信しうるように構成される。ＲＦ送信アンテナ７４は、識別信号および非常事態信号を受信しうるように、制御部７７に接続される。ＲＦ送信アンテナ７４は、送信部の例である。
【００２２】
ＬＦ受信アンテナ７５は、質問信号および避難指示信号をＬＦ電波によって受信しうるように構成される。質問信号は、無線タグ装置７に識別信号の送信を要求する信号である。避難指示信号は、利用者４を避難経路に誘導する信号である。ＬＦ受信アンテナ７５は、質問信号および避難指示信号を送信しうるように、制御部７７に接続される。ＬＦ受信アンテナ７５は、受信部の例である。
【００２３】
避難指示部７６は、ＬＥＤ（Ｌｉｇｈｔ  Ｅｍｉｔｔｉｎｇ  Ｄｉｏｄｅ）およびスピーカーを備える。避難指示部７６は、避難指示信号を受信しうるように制御部７７に接続される。ＬＥＤは、避難指示信号に基づいて利用者４に避難経路を指示しうるように構成される。
【００２４】
制御部７７は、マイク７１と、検知部７２と、記憶部７３と、ＲＦ送信アンテナ７４と、ＬＦ受信アンテナ７５と、避難指示部７６と、の各々の動作を制御する素子を搭載する。
【００２５】
入退室管理装置８は、建築物に設けられる。入退室管理装置８は、読取装置９と、アンテナ装置１０と、戸開閉制御装置１１と、コントローラー１２と、を備える。
【００２６】
読取装置９は、戸６に隣接して設けられる。読取装置９は、ＲＦ受信アンテナ９１と、制御部９２と、を備える。ＲＦ受信アンテナ９１は、識別信号および非常事態信号をＲＦ電波によって受信しうるように構成される。制御部９２は、識別信号および非常事態信号を受信しうるようにＲＦ受信アンテナ９１に接続される。
【００２７】
アンテナ装置１０は、戸６の前方または後方に設けられる。アンテナ装置１０は、避難指示信号を受信しうるように読取装置９の制御部９２に接続される。アンテナ装置１０は、ＬＦ送信アンテナ１０１を備える。ＬＦ送信アンテナ１０１は、質問信号および避難指示信号をＬＦ電波によって送信しうるように構成される。
【００２８】
戸開閉制御装置１１は、戸６の電気錠を解錠および施錠しうるように、電気錠に接続される。ここで、電気錠の解錠は、電気錠を開けることと、電気錠の開いている状態を維持することと、を含む。電気錠の施錠は、電気錠を閉めることと、電気錠の閉まっている状態を維持することと、を含む。
【００２９】
コントローラー１２は、識別信号および非常事態信号を受信しうるように読取装置９の制御部９２に接続される。コントローラー１２は、受信する識別信号および非常事態信号に基づいて戸６の解錠または施錠を判定しうるように構成される。コントローラー１２は、判定の結果に基づいて制御情報を送信しうるように、戸開閉制御装置１１に接続される。コントローラー１２は、非常事態信号に基づいて避難指示情報を生成しうるように構成される。
【００３０】
平常時に、アンテナ装置１０は、ＬＦ送信アンテナ１０１から質問信号をＬＦ電波によって送信する。アンテナ装置１０は、予め定められた時間間隔をおいて繰返し質問信号を送信する。
【００３１】
利用者４がアンテナ装置１０に接近する場合に、利用者４は、ＬＦ送信アンテナ１０１から送信されるＬＦ電波が届く範囲に入る。利用者４が所持する無線タグ装置７のＬＦ受信アンテナ７５は、質問信号をＬＦ電波によって受信する。ＬＦ受信アンテナ７５は、制御部７７に質問信号を送信する。制御部７７は、記憶部７３から利用者４の識別信号の情報を読み取る。制御部７７は、識別信号をＲＦ送信アンテナ７４に送信する。ＲＦ送信アンテナ７４は、識別信号をＲＦ電波によって送信する。
【００３２】
読取装置９のＲＦ受信アンテナ９１は、識別信号をＲＦ電波によって受信する。ＲＦ受信アンテナ９１は、識別信号を制御部９２に送信する。制御部９２は、識別信号をコントローラー１２に送信する。
【００３３】
コントローラー１２は、受信した識別信号に基づいて戸６の解錠または施錠を判定する。コントローラー１２は、解錠または施錠の判定結果を表す制御情報を戸開閉制御装置１１に送信する。
【００３４】
コントローラー１２は、例えば次のように解錠または施錠を判定する。コントローラーは、複数の認証情報を記憶している。認証情報は、戸６の通行が許可されている利用者を表す情報である。受信した識別信号の情報と、複数の認証情報のいずれかと、が一致する場合に、コントローラー１２は、利用者４を認証する。利用者４が認証される場合に、コントローラー１２は、戸６の解錠を判定する。一方、利用者４が認証されない場合に、コントローラー１２は、戸６の施錠を判定する。
【００３５】
解錠を表す制御情報を受信する場合に、戸開閉制御装置１１は、戸６の電気錠を解錠する。一方、施錠を表す制御情報を受信する場合に、戸開閉制御装置１１は、戸６の電気錠を施錠する。
【００３６】
非常事態が発生する場合に、緊急情報提供システム２は、緊急情報を発信する。
【００３７】
スマートフォン３は、ネットワーク１を通じて、緊急情報を受信する。スマートフォン３は、受信した緊急情報に対応する警報音を発する。警報音は、例えば注意喚起を図るための特定のサイレン音である。当該サイレン音は、例えば日本における「国民保護に係る警報のサイレン音」である。
【００３８】
無線タグ装置７のマイク７１は、警報音を測定する。マイク７１は、当該警報音を表す音声情報を検知部７２に送信する。
【００３９】
検知部７２は、受信した音声情報によって非常事態を検知する。検知部７２は、検知した非常事態を表す非常事態信号を制御部７７に送信する。
【００４０】
検知部７２は、例えば、次のように非常事態を検知する。検知部７２は、警報音として使用される特定のサイレン音の周波数分布を、予め定められた音声の周波数分布として記憶している。検知部７２は、受信した音声情報の周波数分布を例えばフーリエ変換またはウェーブレット変換などにより生成する。検知部７２は、予め定められた音声の周波数分布と、受信した音声の周波数分布との差異を、例えば二乗平均誤差などにより計算する。当該差異が予め定められた範囲より小さい場合に、検知部７２は、受信した音声情報が表す音声と予め定められた音声とが類似していると判定する。このとき、検知部７２は、当該予め定められた音声が対応する非常事態を検知する。
【００４１】
制御部７７は、非常事態信号および識別信号をＲＦ送信アンテナ７４に送信する。ＲＦ送信アンテナ７４は、非常事態信号および識別信号をＲＦ電波によって送信する。
【００４２】
読取装置９のＲＦ受信アンテナ９１は、非常事態信号および識別信号をＲＦ電波によって受信する。ＲＦ受信アンテナ９１は、非常事態信号および識別信号を制御部９２に送信する。非常事態信号を受信する場合に、制御部９２は、非常事態であると判定する。制御部９２は、非常事態信号および識別信号をコントローラー１２に送信する。
【００４３】
コントローラー１２は、受信した非常事態信号に基づいて戸６の解錠の要否を判定する。戸６の解錠が必要と判定した場合に、コントローラー１２は、解錠を表す制御情報を戸開閉制御装置１１に送信する。
【００４４】
コントローラー１２は、例えば次のように解錠の要否を判定する。コントローラー１２は、予め定められた避難場所までの避難経路を記憶している。コントローラー１２は、戸６の位置を記憶している。避難経路が戸６の位置を通る場合に、コントローラー１２は、戸６の解錠が必要と判定する。
【００４５】
コントローラー１２は、受信した非常事態信号に基づいて避難指示情報を生成する。コントローラー１２は、避難指示信号を読取装置９の制御部９２に送信する。
【００４６】
コントローラー１２は、例えば次のように避難指示信号を生成する。コントローラー１２は、予め定められた避難場所までの避難経路を記憶している。コントローラー１２は、戸６の位置を記憶している。避難経路が戸６を通る場合に、コントローラー１２は、戸６を通行するように誘導する避難指示信号を生成する。避難経路から外れる経路が戸６を通る場合に、コントローラー１２は、戸６の通行を抑制する避難指示信号を生成する。
【００４７】
コントローラー１２は、受信した識別信号に基づいて利用者４の避難状況の情報を収集する。避難状況の情報は、利用者４の現在位置を含む。
【００４８】
コントローラー１２は、例えば次のように避難状況の情報を収集する。コントローラー１２は、戸６の位置を記憶している。コントローラー１２は、識別信号を受信した時刻に利用者４が戸６の位置にいると判定する。
【００４９】
読取装置９の制御部９２は、避難指示信号をアンテナ装置１０に送信する。アンテナ装置１０は、避難指示信号をＬＦによって送信する。
【００５０】
無線タグ装置７のＬＦ受信アンテナ７５は、避難指示信号をＬＦ電波によって受信する。ＬＦ受信アンテナ７５は、制御部７７に避難指示信号を送信する。制御部７７は、避難指示信号に基づいて制御情報を生成する。制御部７７は、制御情報を避難指示部７６に送信する。避難指示部７６は、制御情報に基づいて利用者４を避難経路に誘導する。
【００５１】
無線タグ装置７は、例えば次のように利用者４を避難経路に誘導する。避難指示信号が戸６を通行するように誘導する信号である場合に、制御部７７は、制御信号を生成しない。避難指示信号が戸６の通行を抑制する信号である場合に、制御部７７は、ＬＥＤを点灯させる制御信号およびスピーカーからブザー音を鳴らす制御信号を生成する。この場合に、避難指示部７６は、制御信号に基づくＬＥＤの点灯およびスピーカーのブザー音によって、利用者４に避難経路から外れる経路を通知する。
【００５２】
続いて、図２を用いて無線タグ装置７の動作の例を説明する。
図２は、実施の形態１に係る無線タグ装置の動作の例を示すフローチャートである。
【００５３】
ステップＳ１０１において、マイク７１は、音声を測定する。その後、マイク７１は、音声情報を検知部７２に送信する。その後、無線タグ装置７の動作は、ステップＳ１０２に進む。
【００５４】
ステップＳ１０２において、検知部７２は、音声情報から非常事態の検知を試みる。その後、制御部７７は、検知部７２が非常事態を検知したかを判定する。判定結果がＮＯである場合に、無線タグ装置７の動作は、ステップＳ１０３に進む。判定結果がＹＥＳである場合に、無線タグ装置７の動作は、ステップＳ１０５に進む。
【００５５】
ステップＳ１０３において、制御部７７は、ＬＦ受信アンテナ７５が質問信号を受信したかを判定する。判定結果がＮＯである場合に、無線タグ装置７の動作は、ステップＳ１０１に進む。判定結果がＹＥＳである場合に、無線タグ装置７の動作は、ステップＳ１０４に進む。
【００５６】
ステップＳ１０４において、制御部７７は、記憶部７３から識別信号の情報を読み込む。その後、制御部７７は、ＲＦ送信アンテナ７４に識別信号を送信させる。その後、無線タグ装置７の動作は、ステップＳ１０１に進む。
【００５７】
ステップＳ１０５において、制御部７７は、ＲＦ送信アンテナ７４に識別信号および非常事態信号を送信させる。その後、無線タグ装置７の動作は、ステップＳ１０６に進む。
【００５８】
ステップＳ１０６において、制御部７７は、ＬＦ受信アンテナ７５が避難指示信号を受信したかを判定する。判定結果がＮＯである場合に、無線タグ装置７の動作は、予め定められた時間が経過した後に再びステップＳ１０６に進む。判定結果がＹＥＳである場合に、無線タグ装置７の動作は、ステップＳ１０７に進む。
【００５９】
ステップＳ１０７において、制御部７７は、避難指示信号に基づいて避難指示部７６に利用者４を避難経路へ誘導させる。その後、無線タグ装置７の動作は、ステップＳ１０５に進む。
【００６０】
続いて、図３を用いて入退室管理装置８の動作の例を説明する。
図３は、実施の形態１に係る入退室管理装置の動作の例を示すフローチャートである。
【００６１】
ステップＳ２０１において、読取装置９の制御部９２は、非常事態信号を受信したかを判定する。判定結果がＮＯである場合に、入退室管理装置８の動作は、ステップＳ２０２に進む。判定結果がＹＥＳである場合に、入退室管理装置８の動作は、ステップＳ２０７に進む。
【００６２】
ステップＳ２０２において、アンテナ装置１０は、ＬＦ送信アンテナ１０１に質問信号を送信させる。その後、入退室管理装置８の動作は、ステップＳ２０３に進む。
【００６３】
ステップＳ２０３において、制御部９２は、ＲＦ受信アンテナ９１が識別信号を受信したかを判定する。判定結果がＮＯである場合に、入退室管理装置８の動作は、ステップＳ２０１に進む。判定結果がＹＥＳである場合に、入退室管理装置８の動作は、ステップＳ２０４に進む。
【００６４】
ステップＳ２０４において、読取装置９は、識別信号をコントローラー１２に送信する。その後、コントローラー１２は、当該識別信号に基づいて利用者４が認証されるかを判定する。判定結果がＹＥＳである場合に、入退室管理装置８の動作は、ステップＳ２０５に進む。判定結果がＮＯである場合に、入退室管理装置８の動作は、ステップＳ２０６に進む。
【００６５】
ステップＳ２０５において、コントローラー１２は、解錠を表す制御情報を戸開閉制御装置１１に送信する。戸開閉制御装置１１は、戸６の電気錠を解錠する。その後、入退室管理装置８の動作は、ステップＳ２０１に進む。
【００６６】
ステップＳ２０６において、コントローラー１２は、施錠を表す制御情報を戸開閉制御装置１１に送信する。戸開閉制御装置１１は、戸６の電気錠を施錠する。その後、入退室管理装置８の動作は、ステップＳ２０１に進む。
【００６７】
ステップＳ２０７において、コントローラー１２は、避難指示信号を生成する。コントローラー１２は、避難指示信号を制御部９２に送信する。コントローラー１２は、避難指示信号に基づいて戸６の解錠が必要かを判定する。判定結果がＹＥＳである場合に、入退室管理装置８の動作は、ステップＳ２０８に進む。判定結果がＮＯである場合に、入退室管理装置８の動作は、ステップＳ２０９に進む。
【００６８】
ステップＳ２０８において、コントローラー１２は、解錠を表す制御情報を戸開閉制御装置１１に送信する。戸開閉制御装置１１は、戸６の電気錠を解錠する。その後、入退室管理装置８の動作は、ステップＳ２０９に進む。
【００６９】
ステップＳ２０９において、制御部９２は、避難指示信号をアンテナ装置１０に送信する。その後、アンテナ装置１０は、ＬＦ送信アンテナ１０１に避難指示信号および質問信号を送信させる。その後、入退室管理装置８の動作は、ステップＳ２１０に進む。
【００７０】
ステップＳ２１０において、制御部９２は、ＲＦ受信アンテナ９１が識別信号を受信したかを判定する。判定結果がＮＯである場合に、入退室管理装置８の動作は、ステップＳ２０９に進む。判定結果がＹＥＳである場合に、入退室管理装置８の動作は、ステップＳ２１１に進む。
【００７１】
ステップＳ２１１において、制御部９２は、識別信号をコントローラー１２に送信する。コントローラー１２は、識別信号に基づいて利用者４の避難状況の情報を取得する。その後、入退室管理装置８の動作は、ステップＳ２０９に進む。
【００７２】
以上に説明したように、本実施の形態に係る入退室管理システム５は、読取装置９と、戸開閉制御装置１１と、無線タグ装置７と、を備える。読取装置９は、利用者４を識別する識別信号および非常事態を表す非常事態信号を受信する。戸開閉制御装置１１は、読取装置９が受信する信号に基づいて戸６の解錠および施錠を制御する。無線タグ装置７は、マイク７１と、検知部７２と、ＲＦ送信アンテナ７４と、を備える。マイク７１は、所持している利用者の位置の音声を測定する。検知部７２は、マイク７１に測定される音声によって非常事態を検知する。ＲＦ送信アンテナ７４は、利用者４を識別する識別信号を送信する。ＲＦ送信アンテナ７４は、検知部７２が非常事態を検知する場合に当該非常事態を表す非常事態信号を読取装置９に送信する。
【００７３】
無線タグ装置７は、非常事態を外部からの音声によって検知する。このため、入退室管理システム５は、外部のシステムと通信回線で接続されていなくても、非常事態を検知できる。
【００７４】
戸開閉制御装置１１は、非常事態を表す非常事態信号に基づいて戸６の解錠および施錠を制御する。これにより、利用者４の避難経路が確保される。したがって、入退室管理システム５は、外部のシステムから緊急情報を取得することなく、非常事態の場合に利用者を避難経路に誘導できる。
【００７５】
無線タグ装置７は、入退室管理システム５を利用する複数の利用者の各々に所持される。このため、入退室管理システム５が非常事態を検知するための情報は、複数の経路から取得される。これにより、入退室管理システム５は、より確実に非常事態を検知することができる。
【００７６】
また、マイク７１に測定される音声が非常事態に対応して予め定められた音声に類似する場合に、検知部７２は、当該非常事態を検知する。
【００７７】
当該音声は、注意喚起のための特定のサイレン音などの音声である。当該音声は、注意喚起のために環境音と異なる音声が採用される。このため、環境音による非常事態の誤検知が抑制される。特に、当該音声の目的外の使用が例えば公的機関などによって制限される場合に、環境音による非常事態の誤検知がより抑制される。
【００７８】
また、検知部７２は、利用者４が所持しているスマートフォン３から発せられる音声によって非常事態を検知する。
【００７９】
緊急情報を受信できるスマートフォン３を利用者４が所持している場合に、マイク７１は警報音をより確実に測定できる。
【００８０】
無線タグ装置７がハンズフリータグである場合に、利用者４は、無線タグ装置７を読取装置９にかざす必要がない。このとき、利用者４が読取装置９から離れている場合であっても、読取装置９は速やかに非常事態を検知できる。
【００８１】
建築物が複数の戸６を備える場合に、入退室管理システム５は、読取装置９、アンテナ装置１０および戸開閉制御装置１１の組を複数備えてもよい。このとき、当該複数の組の各々は、複数の戸６の各々に対応する。コントローラー１２は、利用者４の避難状況の情報として、利用者４の移動経路の情報を取得してもよい。
【００８２】
なお、無線タグ装置７は、例えば次のように利用者４を避難経路に誘導してもよい。避難指示信号が戸６の通行を抑制する信号である場合に、制御部７７は、制御信号を生成しない。避難指示信号が戸６を通行するように誘導する信号である場合に、制御部７７は、ＬＥＤを点灯させる制御信号およびスピーカーからブザー音を鳴らす制御信号を生成する。この場合に、避難指示部７６は、制御信号に基づくＬＥＤの点灯およびスピーカーのブザー音によって、利用者４に避難経路を通行していることを通知する。
【００８３】
避難指示部７６は、スピーカーからの人工音声によって利用者４を避難経路に誘導してもよい。
【００８４】
検知部７２は、非常事態の検知に周波数分布以外の特徴量を用いてもよい。検知部７２は、機械学習のアルゴリズムによって非常事態を検知してもよい。
【００８５】
検知部７２は、防災無線などの放送される音声によって非常事態を検知してもよい。
【００８６】
非常事態の種類に対応して異なる警報音が発せられる場合に、避難経路は、非常事態の種類に対応して定められてもよい。例えば非常事態が津波発生の事態である場合に、避難経路は、上階へ向かう経路である。例えば非常事態が武力攻撃事態である場合に、避難経路は、建物の中または地下階へ向かう経路である。例えば非常事態の種類が特定されない場合に、避難経路は、予め定められた避難場所に向かう最短経路である。
【００８７】
実施の形態１における装置等の間の通信は、直接的な通信または中継する装置等を介する間接的な通信のいずれでもよい。
【００８８】
続いて、図４を用いて無線タグ装置７のハードウェア構成の例について説明する。
図４は、実施の形態１に係る無線タグ装置の主要部のハードウェア構成を示す図である。
【００８９】
無線タグ装置７の各機能は、処理回路により実現し得る。処理回路は、少なくとも１つのプロセッサ７ｂと少なくとも１つのメモリ７ｃとを備える。処理回路は、プロセッサ７ｂおよびメモリ７ｃと共に、或いはそれらの代用として、少なくとも１つの専用のハードウェア７ａを備えてもよい。
【００９０】
処理回路がプロセッサ７ｂとメモリ７ｃとを備える場合、無線タグ装置７の各機能は、ソフトウェア、ファームウェア、またはソフトウェアとファームウェアとの組み合わせで実現される。ソフトウェアおよびファームウェアの少なくとも一方は、プログラムとして記述される。そのプログラムはメモリ７ｃに格納される。プロセッサ７ｂは、メモリ７ｃに記憶されたプログラムを読み出して実行することにより、無線タグ装置７の各機能を実現する。
【００９１】
プロセッサ７ｂは、ＣＰＵ（Ｃｅｎｔｒａｌ  Ｐｒｏｃｅｓｓｉｎｇ  Ｕｎｉｔ）、処理装置、演算装置、マイクロプロセッサ、マイクロコンピュータ、ＤＳＰともいう。メモリ７ｃは、例えば、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等により構成される。
【００９２】
処理回路が専用のハードウェア７ａを備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。
【００９３】
無線タグ装置７の各機能は、それぞれ処理回路で実現することができる。あるいは、無線タグ装置７の各機能は、まとめて処理回路で実現することもできる。無線タグ装置７の各機能について、一部を専用のハードウェア７ａで実現し、他部をソフトウェアまたはファームウェアで実現してもよい。このように、処理回路は、ハードウェア７ａ、ソフトウェア、ファームウェア、またはこれらの組み合わせで無線タグ装置７の各機能を実現する。
【産業上の利用可能性】
【００９４】
本発明に係る入退室管理システムは、非常事態のときに利用者を誘導する避難経路を有する建築物に適用できる。本発明に係る信号送信機は、当該入退室管理システムに適用できる。
【符号の説明】
【００９５】
１  ネットワーク、  ２  緊急情報提供システム、  ３  スマートフォン、  ４  利用者、  ５  入退室管理システム、  ６  戸、  ７  無線タグ装置、  ７１  マイク、  ７２  検知部、  ７３  記憶部、  ７４  ＲＦ送信アンテナ、  ７５  ＬＦ受信アンテナ、  ７６  避難指示部、  ７７  制御部、  ７ａ  ハードウェア、  ７ｂ  プロセッサ、  ７ｃ  メモリ、  ８  入退室管理装置、  ９  読取装置、  ９１  ＲＦ受信アンテナ、  ９２  制御部、  １０  アンテナ装置、  １０１  ＬＦ送信アンテナ、  １１  戸開閉制御装置、  １２  コントローラー
【図１】
2019186714.tif 000003
【図２】
2019186714.tif 000004
【図３】
2019186714.tif 000005
【図４】
2019186714.tif 000006
【手続補正書】
【提出日】令和2年2月20日(2020.2.20)
【手続補正１】
【補正対象書類名】特許請求の範囲
【補正対象項目名】全文
【補正方法】変更
【補正の内容】
【特許請求の範囲】
【請求項１】
所持している利用者の位置の音声を測定する測定部と、
前記測定部に測定される音声によって非常事態として自然災害または武力攻撃を検知する検知部と、
戸開閉制御装置による戸の解錠および施錠の制御のための信号を受信する読取装置に前記利用者を識別する信号を送信し、前記検知部が非常事態として自然災害または武力攻撃を検知する場合に当該非常事態を表す信号を前記読取装置に送信する送信部と、
を備える無線タグ装置。
【請求項２】
前記検知部は、前記測定部に測定される音声が、非常事態に対応して予め定められた音声である国民保護に係る警報のサイレン音に類似する場合に、当該非常事態を検知する請求項１に記載の無線タグ装置。
【請求項３】
前記検知部は、前記測定部に測定される音声が、非常事態に対応して予め定められた注意喚起を図るためのサイレン音に類似する場合に、当該非常事態を検知する請求項１に記載の無線タグ装置。
【請求項４】
前記検知部は、前記利用者が所持している携帯情報端末から発せられる音声によって非常事態を検知する請求項１から請求項３のいずれか一項に記載の無線タグ装置。
【請求項５】
利用者を識別する信号および非常事態を表す信号を受信する読取装置と、
前記読取装置が受信する信号に基づいて戸の解錠および施錠を制御する戸開閉制御装置と、
所持している利用者の位置の音声を測定し、測定される音声によって非常事態として自然災害または武力攻撃を検知し、当該利用者を識別する信号を前記読取装置に送信し、非常事態として自然災害または武力攻撃を検知する場合に当該非常事態を表す信号を前記読取装置に送信する無線タグ装置と、
を備える入退室管理システム。
【手続補正２】
【補正対象書類名】明細書
【補正対象項目名】０００６
【補正方法】変更
【補正の内容】
【０００６】
本発明に係る無線タグ装置は、所持している利用者の位置の音声を測定する測定部と、測定部に測定される音声によって非常事態として自然災害または武力攻撃を検知する検知部と、戸開閉制御装置による戸の解錠および施錠の制御のための信号を受信する読取装置に利用者を識別する信号を送信し、検知部が非常事態として自然災害または武力攻撃を検知する場合に当該非常事態を表す信号を読取装置に送信する送信部と、を備える。
【手続補正３】
【補正対象書類名】明細書
【補正対象項目名】０００７
【補正方法】変更
【補正の内容】
【０００７】
本発明に係る入退室管理システムは、利用者を識別する信号および非常事態を表す信号を受信する読取装置と、読取装置が受信する信号に基づいて戸の解錠および施錠を制御する戸開閉制御装置と、所持している利用者の位置の音声を測定し、測定される音声によって非常事態として自然災害または武力攻撃を検知し、当該利用者を識別する信号を読取装置に送信し、非常事態として自然災害または武力攻撃を検知する場合に当該非常事態を表す信号を読取装置に送信する無線タグ装置と、を備える。
【国際調査報告】
2019186714.tif 000007
2019186714.tif 000008
2019186714.tif 000009